(57)【要約】【課題】紐体に取り付けるとともにストリンガーを取り付けるための釣り用具であって、紐体の側方から取付け可能であることにより紐体への取付けが容易で予め紐体に取り付けておく必要がなく、これにより、紐体の保管や運搬に要するスペースを小さくすることができるストリンガー用係止部材を提供する。【解決手段】釣り用具としてのストリンガー用係止部材５は、１本の線条部材により形成されていて、螺旋状の紐体取付部１０と、紐体取付部の一方の端部から連設された連結部４０と、紐体取付部１０の他方の端部から連設された連結部５０と、連結部４０の紐体取付部１０とは反対側の端部から連設された係合部２０と、連結部５０の紐体取付部１０とは反対側の端部から連設された係合部３０とを有している。【選択図】図１
2012152166.tif 000002
【特許請求の範囲】
【請求項１】
釣り用のストリンガーを取り付けるとともに、紐体に取り付ける釣り用具（５）であって、
釣り用具が、紐体に取り付けるための紐体取付部（１０）と、紐体取付部の一方の端部から連設された第１連結部（４０）と、紐体取付部の他方の端部から連設された第２連結部（５０）と、第１連結部の紐体取付部とは反対側の端部から連設された第１係合部（２０）と、第２連結部の紐体取付部とは反対側の端部から連設された第２係合部（３０）とを有し、１本の線条部材により形成され、
紐体取付部は、略直線状の中心線に沿って螺旋状に形成してなり、
第１連結部の第１係合部側の端部と第２連結部の第２係合部側の端部とは、第１係合部と第２係合部との係合を解除した状態の場合には、該中心線に対して略直角な方向に間隔を介した状態となり、
第１係合部は、第１連結部から紐体取付部の一方の端部側に向けて巻回して略リング状に形成され、内側に第１挿通穴（Ｋ１）を有し、
第２係合部は、第２連結部から紐体取付部の他方の端部側に向けて巻回して略リング状に形成され、内側に第２挿通穴（Ｋ２）を有し、
第１係合部と第２係合部とを係合することにより、第１挿通穴と第２挿通穴とが対向してストリンガーを取り付けるための挿通穴が形成されることを特徴とする釣り用具。
【請求項２】
第１連結部が、該中心線に対して略直角に伸びた第１部材（４２）と、第１部材の紐体取付部とは反対側の端部から連設され、第１係合部側にいくほど紐体取付部から遠ざかるとともに紐体取付部の他方の端部側に近づくように該中心線に対して傾斜し、第１係合部側の端部において第１係合部と連設した第２部材（４４）とを有し、第２連結部が、該中心線に対して略直角に伸びた第３部材（５２）と、第３部材の紐体取付部とは反対側の端部から連設され、第２係合部側にいくほど紐体取付部から遠ざかるとともに紐体取付部の一方の端部側に近づくように該中心線に対して傾斜し、第２係合部側の端部において第２係合部と連設した第４部材（５４）とを有することを特徴とする請求項１に記載の釣り用具。
【発明の詳細な説明】
【技術分野】
【０００１】
本発明は、ストリンガーを係止する釣り用具に関するものであり、特に、ストリンガーを係止するとともに、ロープに係止する釣り用具に関するものである。
【背景技術】
【０００２】
従来より、黒鯛や石鯛等の魚釣り用に用いるストリンガーが存在する。このストリンガーは、釣り上げた魚を潮だまり等に生かしておくための器具であり、複数のフックがロープ等の紐体に通した構成を呈している。このストリンガーを使用する際には、ストリンガーのフックを開状態として魚に刺し、その後、フックを閉状態にして魚が逃げないようにする。
【０００３】
ここで、ストリンガーをロープに通しただけの状態では、魚が一個所に集まって、鱗が剥がれてしまう等、魚が弱ってしまうという問題があることから、従来におけるストリンガーを係止するための釣り用具として、図１２に示すように、ブランスイベル２００を用いる例が存在する。
【０００４】
すなわち、図１２においては、ブランスイベル２００は、本体部２０１と、本体部２０１に取り付けられた撚り戻し２１０とを有し、本体部２０１は、円筒状部２０２と、円筒状部２０２の外周面に間隔を介して設けられたリング状部２０４、２０６とを有し、円筒状部２０２には、ロープ等の紐体１００が挿通されている。また、本体部２０１の円筒状部２０２におけるリング状部２０４とリング状部２０６の間の位置には、撚り戻し２１０が取り付けられている。すなわち、撚り戻し２１０は、略円柱状の本体部２１２と、本体部２１２に対して回転可能に軸支されている環状部２１４と、本体部２１２に対して回転可能に軸支されている環状部２１６とを有し、円筒状部２０２におけるリング状部２０４とリング状部２０６の間の部分が、環状部２１４に挿通されている。
【０００５】
また、環状部２１６には、ストリンガー１２０が取り付けられている。すなわち、ストリンガー１２０は、スナップ１３０と、撚り戻し１４０と、フック部１５０とを有し、スナップ１３０が環状部２１６に取り付けられている。
【０００６】
また、従来における他の例として、特許文献１に記載のストリンガーが存在する。特許文献１に記載のストリンガーは、紐体と、基部に連結環部を有する複数のフックとから成り、紐体に大きさの異なる係止片を、下方側に大きいものを配置した形となるようにして段違い状に取り付ける一方、連結環部の大きさの異なった複数個のフックを用意し、紐体をフックの連結環部に通した場合、係止片により、フックを段階的に係留させ得るように構成したものである。
【０００７】
また、出願人は、特許文献２の先行技術文献を知得している。
【先行技術文献】
【特許文献】
【０００８】
【特許文献１】特開２００５−１９８５３５号公報
【特許文献２】実用新案登録第３１２９０６１号公報
【発明の概要】
【発明が解決しようとする課題】
【０００９】
しかし、図１２に示すような、ブランスイベルを用いる場合には、予め紐体をブランスイベルの本体部に挿通しておかなければならないため手間を要し、また、紐体を複数のブランスイベルに挿通したものは嵩張るため、保管や運搬にスペースを必要とするという問題がある。
【００１０】
また、特許文献１のストリンガーにおいても、予め係止片に紐体を挿通して係止片を取り付けておかなければならないため手間を要し、また、複数の係止片を取り付けた紐体は嵩張るため、保管や運搬にスペースを必要とするという問題がある。
【００１１】
特に、図１２の場合には、紐体の端部からブランスイベルに挿通し、特許文献１の場合にも、紐体の端部から係止片に挿入しておく必要があり、紐体の側方から取り付けることができないため、予め紐を挿通しておく必要がある。
【００１２】
そこで、本発明が解決しようとする問題点は、紐体に取り付けるとともにストリンガーを取り付けるための釣り用具であって、紐体の側方から取付け可能であることにより紐体への取付けが容易で予め紐体に取り付けておく必要がなく、これにより、紐体の保管や運搬に要するスペースを小さくすることができる釣り用具を提供することである。
【課題を解決するための手段】
【００１３】
本発明は上記問題点を解決するために創作されたものであって、第１には、釣り用のストリンガーを取り付けるとともに、紐体に取り付ける釣り用具（５）であって、釣り用具が、紐体に取り付けるための紐体取付部（１０）と、紐体取付部の一方の端部から連設された第１連結部（４０）と、紐体取付部の他方の端部から連設された第２連結部（５０）と、第１連結部の紐体取付部とは反対側の端部から連設された第１係合部（２０）と、第２連結部の紐体取付部とは反対側の端部から連設された第２係合部（３０）とを有し、１本の線条部材により形成され、紐体取付部は、略直線状の中心線に沿って螺旋状に形成してなり、第１連結部の第１係合部側の端部と第２連結部の第２係合部側の端部とは、第１係合部と第２係合部との係合を解除した状態の場合には、該中心線に対して略直角な方向に間隔を介した状態となり、第１係合部は、第１連結部から紐体取付部の一方の端部側に向けて巻回して略リング状に形成され、内側に第１挿通穴（Ｋ１）を有し、第２係合部は、第２連結部から紐体取付部の他方の端部側に向けて巻回して略リング状に形成され、内側に第２挿通穴（Ｋ２）を有し、第１係合部と第２係合部とを係合することにより、第１挿通穴と第２挿通穴とが対向してストリンガーを取り付けるための挿通穴が形成されることを特徴とする。
【００１４】
上記第１の構成の釣り用具においては、紐体取付部に紐体を挿通する。つまり、第１係合部と第２係合部の係合状態が解除され、第１係合部と第２係合部の間に隙間が形成された状態で、該隙間から釣り用具の内側の空間に紐体を通し、その後、紐体を螺旋状の紐体取付部に巻回していき、紐体を紐体取付部に挿通した状態として紐体取付部に取り付ける。次に、第１係合部と第２係合部とを係合させると、第１挿通穴と第２挿通穴とが対向してストリンガーを取り付けるための挿通穴が形成されるので、この挿通穴にストリンガー（例えば、ストリンガーのスナップ）を取り付ける。そして、魚釣りに際して魚を釣り上げたら、魚をストリンガーに掛止する。
【００１５】
釣り用具を紐体に取り付けるには、第１係合部と第２係合部の係合が解除した状態で、第１係合部と第２係合部の隙間から釣り用具内の空間に紐体を通し、紐体取付部に巻き付けるのみで容易に釣り用具を紐体に取り付けることができるので、紐体の側方から取付け可能であることにより紐体への取付けが容易で、釣り用具を予め紐体に取り付けておく必要がなく、これにより、紐体の保管や運搬に要するスペースを小さくすることができる。
【００１６】
また、紐体に複数の釣り用具を取り付けた場合には、釣り用具が隣接していても、紐体取付部が紐体に沿って所定の長さを有するので、第１係合部と第２係合部とが係合した個所（つまり、ストリンガーの取付け位置）は、紐体取付部の長さ分だけ間隔を有することになり、ストリンガーに掛止された魚を所定の間隔を介して生かしておくことができるので、魚同士が過度に接触して弱るのを防止することができる。
【００１７】
また、釣り用具は１本の線条部材により形成されているので、製造コストも抑えることが可能となる。
【００１８】
また、第２には、上記第１の構成において、第１連結部が、該中心線に対して略直角に伸びた第１部材（４２）と、第１部材の紐体取付部とは反対側の端部から連設され、第１係合部側にいくほど紐体取付部から遠ざかるとともに紐体取付部の他方の端部側に近づくように該中心線に対して傾斜し、第１係合部側の端部において第１係合部と連設した第２部材（４４）とを有し、第２連結部が、該中心線に対して略直角に伸びた第３部材（５２）と、第３部材の紐体取付部とは反対側の端部から連設され、第２係合部側にいくほど紐体取付部から遠ざかるとともに紐体取付部の一方の端部側に近づくように該中心線に対して傾斜し、第２係合部側の端部において第２係合部と連設した第４部材（５４）とを有することを特徴とする。
【００１９】
よって、第１部材が該中心線に対して略直角に伸び、第３部材が該中心線に対して略直角に伸びているので、第１係合部と第２係合部とを係脱する際に、第１連結部や第２連結部とが紐体取付部に接触して第１係合部と第２係合部の係脱に支障を来すおそれがない。
【発明の効果】
【００２０】
本発明に基づく釣り用具によれば、釣り用具を紐体に取り付けるには、第１係合部と第２係合部の係合が解除した状態で、第１係合部と第２係合部の隙間から釣り用具内の空間に紐体を通し、紐体取付部に巻き付けるのみで容易に釣り用具を紐体に取り付けることができるので、釣り用具を予め紐体に取り付けておく必要がなく、これにより、紐体の保管や運搬に要するスペースを小さくすることができる。
【００２１】
また、紐体に複数の釣り用具を取り付けた場合には、釣り用具が隣接していても、紐体取付部が紐体に沿って所定の長さを有するので、第１係合部と第２係合部とが係合した個所（つまり、ストリンガーの取付け位置）は、紐体取付部の長さ分だけ間隔を有することになり、ストリンガーに掛止された魚を所定の間隔を介して生かしておくことができるので、魚同士が過度に接触して弱るのを防止することができる。
【００２２】
また、釣り用具は１本の線条部材により形成されているので、製造コストも抑えることが可能となる。
【図面の簡単な説明】
【００２３】
【図１】本実施例のストリンガー用係止部材の係合部を係合した状態の斜視図である。
【図２】本実施例のストリンガー用係止部材の係合部の係合を解除した状態の斜視図である。
【図３】本実施例のストリンガー用係止部材の係合部を係合した状態の正面図である。
【図４】本実施例のストリンガー用係止部材の係合部を係合した状態の右側面図である。
【図５】本実施例のストリンガー用係止部材の係合部の係合を解除した状態の右側面図である。
【図６】本実施例のストリンガー用係止部材の係合部を係合した状態の底面図である。
【図７】本実施例のストリンガー用係止部材の係合部の係合を解除した状態の底面図である。
【図８】本実施例のストリンガー用係止部材を紐体に取り付けた状態を示す正面図である。
【図９】本実施例のストリンガー用係止部材を紐体に取り付け係合部を係合した状態を示す正面図である。
【図１０】本実施例のストリンガー用係止部材を紐体に取り付けストリンガーをストリンガー用係止部材に取り付けた状態を示す正面図である。
【図１１】本実施例のストリンガー用係止部材の使用状態を示す説明図である。
【図１２】従来におけるストリンガー用係止部材としてのブランスイベルを使用した例を示す正面図である。
【発明を実施するための形態】
【００２４】
本発明においては、予め紐体に取り付けておく必要がなく、これにより、紐体の保管や運搬に要するスペースを小さくすることができる釣り用具を提供するという目的を以下のようにして実現した。
【００２５】
本発明に基づく釣り用具としてのストリンガー用係止部材（以下「係止部材」とする）５は、ストリンガーを係止するための部材（魚釣り用具）であり、図１〜図７に示すように構成され、１本の線条部材（線状部材としてもよい）により形成され、紐体取付部１０と、係合部（第１係合部）２０と、係合部（第２係合部）３０と、紐体取付部１０の一方の端部と係合部２０の間を連結する連結部（第１連結部）４０と、紐体取付部１０の他方の端部と係合部３０の間を連結する連結部（第２連結部）５０とを有している。なお、線条部材は、例えば、金属製の線条部材により形成され、同一（略同一としてもよい）の径に形成されている。
【００２６】
ここで、紐体取付部１０は、線条部材を略直線状（単に直線状としてもよい）の中心線Ｐに沿って複数回（図の例では４回）巻回したものであり、該中心線Ｐに沿って螺旋状に形成され、より具体的には、略円柱状の周面に沿って螺旋状に形成されている。紐体取付部１０において、線条部材は左周りに巻回されている。紐体取付部１０の内径（線条部材の内側がなす螺旋を外周とする略円柱形状の横断面の直径）は、係止部材５を取り付ける紐体１００に取付け可能に、該紐体１００の径（直径）以上の径（直径）に形成されている。
【００２７】
なお、紐体取付部１０における巻回回数は４回であるが、紐体に取り付け可能であれば他の複数回巻回したものでもよい。なお、紐体取付部１０を紐体１００に取り付けた場合には、図８、図９に示すように、紐体１００は上記略直線状に中心線Ｐに沿って紐体取付部１０に取り付けられる。
【００２８】
また、係合部２０は、係止部材５の一方の端部に形成され、線条部材の一方の端部を巻回することによりリング状（略リング状としてもよい）に形成され、内側に挿通穴K１を有している。係合部２０は、連結部４０の紐体取付部１０側とは反対側の端部から連設されている。なお、係合部２０における線条部材の巻回回数は約１．２５回（１と１／４回）であるが、１回以上の巻回回数であればよく、ストリンガー１２０のスナップ１３０の開閉部１３４を挿通できる構成であれば、他の回数でもよい。
【００２９】
係合部２０は、係合部３０と係合するために、連結部４０の下端（つまり、傾斜部材４４の下端）Ｒ１から外側（Ｐ１の側、紐体取付部１０の一方の端部側）に向けて円弧状に巻回（湾曲としてもよい）して形成されている。また、係合部２０と係合部３０とが係合する際に、線条部材の一対の端部２０ａと端部３０ａとが、対向せずに係止しやすくするために、係合部２０は、連結部４０の係合部２０が付勢された方向（図におけるＱ１の方向）の側に形成されている。連結部４０の下端Ｒ１は、連結部４０の紐体取付部１０とは反対側の端部となる。
【００３０】
また、係合部３０は、係止部材５の他方の端部に形成され、線条部材の他方の端部を巻回することによりリング状（略リング状としてもよい）に形成され、内側に挿通穴K２を有している。係合部３０は、連結部５０の紐体取付部１０側とは反対側の端部から連設されている。なお、係合部３０における線条部材の巻回回数は約１．２５回（１と１／４回）であるが、１回以上の巻回回数であればよく、ストリンガー１２０のスナップ１３０の開閉部１３４を挿通できる構成であれば、他の回数でもよい。
【００３１】
係合部３０は、係合部２０と係合するために、連結部５０の下端（つまり、傾斜部材５４の下端）Ｒ２から外側（Ｐ２の側、紐体取付部１０の他方の端部側）に向けて円弧状に巻回（湾曲としてもよい）して形成されている。また、係合部２０と係合部３０とが係合する際に、線条部材の一対の端部２０ａと端部３０ａとが、対向せずに係止しやすくするために、係合部３０は、連結部５０の係合部３０が付勢された方向（図におけるＱ２の方向）の側に形成されている。連結部５０の下端Ｒ２は、連結部５０の紐体取付部１０とは反対側の端部となる。なお、図において、Ｑ１−Ｑ２間の方向は、中心線Ｐの方向と略直角（単に直角としてもよい）の方向である。
【００３２】
また、係合部２０と係合部３０は、紐体取付部１０の略中央における略直角方向の位置に設けられている。つまり、係合部２０、３０は、紐体取付部１０の巻回方向となる略直線状の中心線Ｐに沿った方向の略中央における略直角方向の位置に設けられている。なお、係合部２０における線条部材がなす径Ｓ１と係合部材３０の線条部材がなす径Ｓ２とは略同一（同一としてもよい）とするのが好ましい。
【００３３】
また、連結部４０は、紐体取付部１０の一方の端部と係合部２０の端部とを連結するものであり、紐体取付部１０の一方の端部から下方（紐体取付部１０の巻回方向となる略直線状の中心線Ｐの方向を横方向とした場合の下方）に略直線状に伸びた縦部材（第１部材）４２と、縦部材４２の下端（つまり、縦部材４２の紐体取付部１０側とは反対側の端部）から係合部２０に向けて斜め下方に略直線状に伸びた傾斜部材（第２部材）４４とを有している。
【００３４】
縦部材４２は、上記中心線Ｐに対して略直角（単に直角としてもよい）に伸び、紐体取付部１０の端部から連続して形成されている。つまり、紐体取付部１０において下方（該中心線Ｐに対して略直角の方向）を向く端部からそのまま連続して形成されている。また、傾斜部材４４は、縦部材４２の紐体取付部１０とは反対側の端部から連設され、係合部２０側にいくほど紐体取付部１０から遠ざかるとともに紐体取付部１０の他方の端部側（Ｐ２側）に近づくように上記中心線Ｐに対して傾斜し、係合部２０側の端部において係合部２０と連設している。また、縦部材４２と傾斜部材４４とは、該中心線Ｐを通る平面（仮想的な平面）と略平行（単に平行としてもよい）となるように形成されている。
【００３５】
なお、縦部材４２が設けられているので、連結部４０が紐体取付部１０の端部から係合部２０に向けて斜め下方に直線状に形成される場合に比べて、連結部４０が紐体取付部１０に接触して係合部２０、３０の係脱に支障を来すおそれがない。
【００３６】
また、連結部５０は、紐体取付部１０の他方の端部と係合部３０の端部とを連結するものであり、紐体取付部１０の他方の端部から下方（紐体取付部１０の巻回方向となる略直線状の中心線Ｐの方向を横方向とした場合の下方）に略直線状に伸びた縦部材（第３部材）５２と、縦部材４２の下端（つまり、縦部材５２の紐体取付部１０側とは反対側の端部）から係合部３０に向けて斜め下方に略直線状に伸びた傾斜部材（第４部材）５４とを有している。
【００３７】
縦部材５２は、上記中心線Ｐに対して略直角（単に直角としてもよい）に伸び、紐体取付部１０の端部から連続して形成されている。つまり、紐体取付部１０において下方（該中心線Ｐに対して略直角の方向）を向く端部からそのまま連続して形成されている。傾斜部材５４は、縦部材５２の紐体取付部１０とは反対側の端部から連設され、係合部３０側にいくほど紐体取付部１０から遠ざかるとともに紐体取付部１０の一方の端部側（Ｐ１側）に近づくように上記中心線Ｐに対して傾斜し、係合部３０側の端部において係合部３０と連設している。また、縦部材５２と傾斜部材５４とは、該中心線Ｐを通る平面（仮想的な平面）と略平行（単に平行としてもよい）となるように形成されている。
【００３８】
なお、縦部材５２が設けられているので、連結部５０が紐体取付部１０の端部から係合部３０に向けて斜め下方に直線状に形成される場合に比べて、連結部５０が紐体取付部１０に接触して係合部２０、３０の係脱に支障を来すおそれがない。
【００３９】
縦部材４２が紐体取付部１０と連設された位置と、縦部材５２が紐体取付部１０と連設された位置とは、係止部材５を側面視した場合（該中心線Ｐの方向から視認した場合）には、該中心線Ｐを介して両側に位置する。
【００４０】
係合部２０と係合部３０との係合を解除した状態においては、図２、図５、図７に示すように、連結部４０と連結部５０とは中心線Ｐに対して略直角な方向に開いた状態となり、連結部４０の係合部２０側の端部と連結部５０の係合部３０側の端部とは（「係合部２０と係合部３０とは」としてもよい）、該中心線Ｐに対して略直角（単に直角としてもよい）な方向（Ｑ１−Ｑ２の方向）に間隔を介した状態となる。
【００４１】
また、係合部２０と係合部３０とが係合した状態においては、係合部２０と係合部３０とはともに、係合部２０と係合部３０との係合を解除した状態となるように付勢され（つまり、係合部２０はＱ１の方向に付勢され、係合部３０はＱ２の方向に付勢されている）、図１、図３、図４、図６に示すように、係合部２０と係合部３０の一方は、他方における該一方が付勢されている方向の側に存在する。つまり、係合部２０は、係合部３０における係合部２０が付勢されている方向の側、つまり、Ｑ１の側に存在し、係合部３０は、係合部２０における係合部３０が付勢されている方向の側、つまり、Ｑ２の側に存在する。また、係合部２０と係合部３０とが係合した状態においては、連結部４０と連結部５０の一方と他方とが互いに交差し、該一方は、該他方における該他方が付勢されている方向の側に存在する。つまり、連結部４０は、連結部５０における連結部５０が付勢されている方向の側、つまり、Ｑ２の側に存在し、連結部５０は、連結部４０における連結部４０が付勢されている方向の側、つまり、Ｑ１の側に存在する。また、係合部２０と係合部３０とが係合した状態においては、縦部材４２と縦部材５２とは、略平行（単に平行としていもよい）となる。
【００４２】
また、係合部２０と係合部３０とが係合した状態においては、係合部２０と係合部３０とが重なり合い、係合部２０の挿通穴Ｋ１と係合部３０の挿通穴Ｋ２とが対向して重なり合って、係合部２０と係合部３０の内側に挿通穴Ｋ（図３、図９参照）が形成され、この挿通穴にストリンガー１２０のスナップ１３０の開閉部１３４を挿通することができる。すなわち、係合部２０の内径と係合部３０の内径とは、ストリンガー１２０のスナップ１３０の開閉部１３４が挿通可能な径に形成されている。
【００４３】
上記構成の係止部材５の使用状態について説明する。係止部材５の使用に際しては、係止部材５を紐体１００に取り付け、係止部材５にストリンガー１２０を係止する。
【００４４】
なお、ストリンガー１２０について説明すると、ストリンガー１２０は、スナップ１３０と、撚り戻し１４０と、フック部１５０とを有している。
【００４５】
ここで、スナップ１３０は、支持板部１３２と、開閉部１３４と、開閉部１３６とを有し、逆Ｕ字状に形成された開閉部１３４は、支持板部１３２に対して開閉自在に形成され、開閉部１３６も、支持板部１３２に対して開閉自在に形成されている。開閉部１３４と開閉部１３６は、１本の線条部材により形成され、開閉部１３４は、１本の線条部材の一方の側に形成され、開閉部１３６は、１本の線条部材の他方の側に形成されている。開閉部１３４は、支持板部１３２における折返し状の掛止部１３２ａに掛止することにより閉状態となり、掛止部１３２ａへの掛止を解除することにより開状態となる。また、開閉部１３６も、支持板部１３２における折返し状の掛止部１３２ｂに掛止することにより閉状態となり、掛止部１３２ｂへの掛止を解除することにより開状態となる。
【００４６】
また、撚り戻し１４０は、略円柱状の本体部１４２と、本体部１４２に対して回転可能に軸支されている環状部１４４と、本体部１４２に対して回転可能に軸支されている環状部１４６とを有し、環状部１４４と環状部１４６とは、互いに本体部１４２の反対側に設けられている。なお、環状部１４４には、スナップ１３０の開閉部１３６が挿通されて、スナップ１３０と撚り戻し１４０とが連結されている。
【００４７】
また、フック部１５０は、被掛止部１５２と、縦棒状部１５４と、環状部１５６と、縦棒状部１５８と、開閉部１６０とを有している。ここで、被掛止部１５２と、縦棒状部１５４と、環状部１５６と、縦棒状部１５８と、開閉部１６０とは、全体に１本の線状部材により形成されている。被掛止部１５２は、線状部材の端部を略Ｕ字状に折り返すことにより形成され、横方向に形成されている。この被掛止部１５２は、開閉部１６０が掛止する被掛止部材として機能する。また、縦棒状部１５４と縦棒状部１５８とは、固定部材１７０により一体に固定されている。この固定部材１７０は、帯状のカシメ部材であり、縦棒状部１５４と縦棒状部１５８を固定部材１７０によりかしめることにより縦棒状部１５４と縦棒状部１５８とが互いに平行に接した状態で一体にしている。これにより、縦棒状部１５４と縦棒状部１５８とにより縦方向に柱状部１５９を形成している。開閉部１６０は、縦棒状部１５８の下端から連設され、縦棒状部１５８の下端から下方に向けて設けられるとともに、上方に向けて湾曲する形状を呈し、略Ｕ字状部１６２と、棒状先端部１６４とを有している。
【００４８】
係止部材５を紐体１００に取り付ける方法について説明すると、紐体取付部１０に紐体１００を挿通する。つまり、図２、図５、図７に示すように、係合部２０と係合部３０の係合状態が解除され、係合部２０と係合部３０の間に隙間が形成された状態で、該隙間から係止部材５の内側の空間に紐体１００を通し、その後、紐体１００を螺旋状の紐体取付部１０に巻回していき（紐体１００を右回りに巻回していく）、図８に示すように、紐体１００を紐体取付部１０に挿通した状態とする。つまり、該中心線Ｐに沿って紐体１００が取り付けられる。なお、紐体１００は、例えば、糸巻き２００に巻回された紐体とする。
【００４９】
次に、係合部２０と係合部３０とを図９に示すように係合させる。すると、係合部２０と係合部３０とが重なり合い、係合部２０と係合部３０の内側に挿通穴Ｋが形成されるので、ストリンガー１２０のスナップ１３０の開閉部１３４の係止状態を解除して、該開閉部１３４を挿通穴Ｋに挿通して図１０に示すように、ストリンガー１２０を係止部材５に取り付けた状態とする。
【００５０】
紐体１００に複数の係止部材５を取り付けた場合には、係止部材５が隣接していても、紐体取付部１０が紐体１００に沿って所定の長さを有するので、係合部２０と係合部３０とが係合した個所（つまり、ストリンガー１２０の取付け位置）は、紐体取付部１０の長さ分だけ間隔を有することになる。
【００５１】
実際の釣りにおいては、釣り場に紐体１００と係止部材５とストリンガー１２０とを別にして持参し、釣り場において、複数の係止部材５に紐体１００を挿通し、各係止部材５にストリンガー１２０を係止しておく。
【００５２】
なお、ストリンガー１２０を係止部材５に取り付けた後に、係止部材５の紐体取付部１０に紐体１００を挿通してもよい。
【００５３】
魚を釣り上げたら、釣り上げた魚をストリンガー１２０に掛止する。すなわち、まず、開閉部１６０を開状態にする。すなわち、開閉部１６０の棒状先端部１６４を柱状部１５９側に押し込んだ後に押し込んだ方向とは略直角方向に若干移動させて、開閉部１６０に与えていた力を解除する。すると、開閉部１６０の被掛止部１５２への掛止が解除されて、開閉部１６０が開状態となる。
【００５４】
その後、魚の口からエラの手前当たり、例えば、図１１に示す位置に開閉部１６０の棒状先端部１６４を刺して、開閉部１６０の略Ｕ字状部１６２に魚を掛止させる。その後、開閉部１６０を被掛止部１５２に掛止させて開閉部１６０を閉状態とする。以上のようにして、フック部１５０への魚の掛止が完了したら、魚を潮だまり等に入れて生かしておく。
【００５５】
以上のように、本実施例の係止部材５によれば、ストリンガー１２０に掛止された魚を所定の間隔を介して生かしておくことができるので、魚同士が過度に接触して弱るのを防止することができる。つまり、紐体１００に取り付けられた複数の係止部材５における各係止部材５は紐体１００に沿ってスライドして互いに隣接することがあるが、紐体取付部１０が紐体１００に沿って所定の長さを有するので、係合部２０と係合部３０とが係合した個所（つまり、ストリンガー１２０の取付け位置）は、紐体取付部１０の長さ分だけ間隔を有することになり、魚同士が過度に接触して弱るのを防止することができる。
【００５６】
また、係止部材５を紐体１００に取り付けるには、係合部２０と係合部３０の係合が解除した状態で、係合部２０と係合部３０の隙間から係止部材５内の空間に紐体１００を通し、紐体取付部１０に巻き付けるのみで容易に係止部材５を紐体１００に取り付けることができるので、紐体１００の側方から取付け可能であることにより紐体１００への取付けが容易で、係止部材５を予め紐体１００に取り付けておく必要がなく、これにより、紐体の保管や運搬に要するスペースを小さくすることができる。
【００５７】
また、係止部材５は１本の線条部材により形成されているので、製造コストも抑えることが可能となる。
【符号の説明】
【００５８】
５  ストリンガー用係止部材
１０  紐体取付部
２０、３０  係合部
４０、５０  連結部
４２、５２  縦部材
４４、５４  傾斜部材
１００  紐体
１２０  ストリンガー
１３０  スナップ
１４０  撚り戻し
１５０  フック部
【図１】
2012152166.tif 000003
【図２】
2012152166.tif 000004
【図３】
2012152166.tif 000005
【図４】
2012152166.tif 000006
【図５】
2012152166.tif 000007
【図６】
2012152166.tif 000008
【図７】
2012152166.tif 000009
【図８】
2012152166.tif 000010
【図９】
2012152166.tif 000011
【図１０】
2012152166.tif 000012
【図１１】
2012152166.tif 000013
【図１２】
2012152166.tif 000014